【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して出力する重畳部と、
前記重畳部からの映像信号を前記表示部に供給する経路に設けられ、前記重畳部からの映像信号を制御信号に基づいてミュート可能にするミュート部と、
前記第１の映像信号にランク信号が含まれているか検出するランク検出部と、
前記ランク検出部で検出されたランク信号が、予め設定されているレベル以上であるかを判定するランク判定部と、
前記ランク判定部の判定結果をもとに、主画面のランク信号が設定レベル以上であった場合には、前記ミュート部にミュート動作を行わせる制御部と
を具備したことを特徴とするテレビ受像機。
【請求項２】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して出力する重畳部と、
前記重畳部からの映像信号を前記表示部に供給する経路に設けられ、前記重畳部からの映像信号を制御信号に基づいてミュート可能にするミュート部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のランク信号が設定レベル以上であった場合には、前記ミュート部を制御してミュート動作を行わせる制御部と
を具備したことを特徴とするテレビ受像機。
【請求項３】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して出力する重畳部と、
前記重畳部からの映像信号を前記表示部に供給する経路に設けられ、前記重畳部からの映像信号を制御信号に基づいてミュート可能にするミュート部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面のランク信号が設定レベル以上であった場合には、前記ミュート部を制御してミュート動作を行わせ、副画面のランク信号が設定レベル以上であった場合には、前記副画面処理部を制御して副画面をオフにする制御部と
を具備したことを特徴とするテレビ受像機。
【請求項４】
請求項１〜３のいずれか１つに記載のテレビ受像機において、
前記制御部の制御信号に基づいて主画面及び副画面のミュート時に警告音を発生するための警告音発生部を具備したことを特徴とするテレビ受像機。
【請求項５】
請求項１〜３のいずれか１つに記載のテレビ受像機において、
前記制御部の制御信号に基づいて主画面及び副画面のミュート時に音声信号路をオフにするための音声カット部を具備したことを特徴とするテレビ受像機。
【請求項６】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して出力する重畳部と、  前記主画面処理部と前記重畳部との間に設けられ、前記主画面処理部からの主画面用映像信号を第１の制御信号に基づいてミュート可能にする第１のミュート部と、
前記副画面処理部と前記重畳部との間に設けられ、前記副画面処理部からの副画面用映像信号を第２の制御信号に基づいてミュート可能にする第２のミュート部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面のランク信号が設定レベル以上であった場合には、前記第１のミュート部を制御して主画面だけをミュートさせ、副画面のランク信号が設定レベル以上であった場合には、前記第２のミュート部を制御して副画面だけをミュートさせる制御部と
を具備したことを特徴とするテレビ受像機。
【請求項７】
映像内容のランクレベルを示すランク信号が重畳された複数の映像信号をそれぞれ主画面，副画面として表示部に表示するテレビ受像機であって、
前記複数の映像信号のうちの１つである第１の映像信号を入力し、圧縮処理して主画面用映像信号を出力する主画面処理部と、
前記第１の映像信号以外の複数の映像信号を入力し、それぞれ圧縮処理して複数の副画面用映像信号を出力する複数の副画面処理部と、
前記主画面用映像信号と前記複数の副画面用映像信号とを重畳して出力する重畳部と、
前記主画面処理部と前記重畳部との間に設けられ、前記主画面処理部からの主画面用映像信号を第１の制御信号に基づいてミュート可能にすることが可能な第１のミュート部と、
前記複数の副画面処理部と前記重畳部との間にそれぞれ設けられ、前記複数の副画面処理部からの複数の副画面用映像信号を各々の制御信号に基づいてミュート可能にする複数のミュート部と、
前記第１の映像信号にランク信号が含まれているか検出する第１のランク検出部と、
前記第１の映像信号以外の複数の映像信号にそれぞれランク信号が含まれているか検出する複数のランク検出部と、
前記第１のランク検出部又は前記複数のランク検出部のいずれかで検出されたランク信号が、予め設定されているレベル以上であるかを判定するランク判定部と、
前記ランク判定部の判定結果をもとに、主画面のランク信号が設定レベル以上であった場合には、前記第１のミュート部を制御して主画面だけをミュートさせ、副画面のいずれかのランク信号が設定レベル以上であった場合には、前記複数のミュート部のうちの該当ミュート部を制御して該当副画面だけをミュートさせる制御部と
を具備したことを特徴とするテレビ受像機。
【請求項８】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して出力する重畳部と、
前記重畳部からの映像信号を前記表示部に供給する経路に設けられ、前記重畳部からの映像信号を制御信号に基づいてミュート可能にするミュート部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のランク信号が設定レベル以上であった場合には、ミュート制御信号を生成して出力する制御部と、
前記ランク判定部の判定で、主画面のランク信号が設定レベル以上であった場合には、前記制御部からのミュート制御信号から副画面表示エリアを除いたミュート制御信号を生成して、前記ミュート部に供給する制御信号合成部と
を具備したことを特徴とするテレビ受像機。
【請求項９】
請求項６〜８のいずれか１つに記載のテレビ受像機において、
前記主画面処理部又は前記副画面処理部に設けられ、主画面又は副画面のみのミュート時には、前記ランク判定部の判定結果に基づき、ミュートしていない方の画面のコントラストまたはプライトネスを低下させる調整手段を具備したことを特徴とするテレビ受像機。
【請求項１０】
映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記ランク判定部の判定結果をもとに、画面のランク信号が設定レベル以上であった場合には、水平または垂直同期を乱す手段と
を具備したことを特徴とするテレビ受像機。
【請求項１１】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して前記表示部に出力する重畳部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のいずれかのランク信号が設定レベル以上であった場合には、該当画面の水平または垂直同期を乱す手段と
を具備したことを特徴とするテレビ受像機。
【請求項１２】
映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記ランク判定部の判定結果をもとに、画面のランク信号が設定レベル以上であった場合には、文字・図形・記号などを必要な数だけ発生して、前記画面処理部からの映像信号に重畳し前記表示部に出力する手段と
を具備したことを特徴とするテレビ受像機。
【請求項１３】
映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して前記表示部に出力する重畳部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のいずれかのランク信号が設定レベル以上であった場合には、文字・図形・記号などを必要な数だけ発生して、前記重畳部からの該当画面の映像信号に重畳し前記表示部に出力する手段と
を具備したことを特徴とするテレビ受像機。
【請求項１４】
請求項１２又は１３記載のテレビ受像機において、
前記ランク判定部で判定されるランク信号のレベルに応じて前記文字・図形・記号などの色・形・大きさを変える手段を設け、ユーザーがランクレベルを識別できるようにしたことを特徴とするテレビ受像機。
【請求項１５】
映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記画面処理部からの映像信号の内容を制御信号を用いて判別不能にする手段と、
前記ランク判定部の判定結果をもとに、画面のランク信号が設定レベル以上であった場合には、制御信号を発生して前記の判別不能にする手段に供給する制御部と、
前記制御部からの前記制御信号に基づいて、画面のランク信号が設定レベル以上であることを示す文字信号を発生して、前記の判別不能にする手段からの映像信号に重畳し、前記表示部に出力する手段と
を具備したことを特徴とするテレビ受像機。
【手続補正２】
【補正対象書類名】明細書
【補正対象項目名】００３０
【補正方法】削除
【補正の内容】
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】変更
【補正の内容】
【００３３】
請求項１０記載の発明は、映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記ランク判定部の判定結果をもとに、画面のランク信号が設定レベル以上であった場合には、水平または垂直同期を乱す手段とを具備したものである。


【手続補正６】
【補正対象書類名】明細書
【補正対象項目名】００３４
【補正方法】変更
【補正の内容】
【００３４】
請求項１０の発明によれば、画面のランクレベルが設定値を越えたと時に水平または垂直同期を乱す手段を設けて、画面内容の判別を困難にする。


【手続補正７】
【補正対象書類名】明細書
【補正対象項目名】００３５
【補正方法】変更
【補正の内容】
【００３５】
請求項１１記載の発明は、映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して前記表示部に出力する重畳部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のいずれかのランク信号が設定レベル以上であった場合には、該当画面の水平または垂直同期を乱す手段とを具備したものである。


【手続補正８】
【補正対象書類名】明細書
【補正対象項目名】００３６
【補正方法】変更
【補正の内容】
【００３６】
請求項１１の発明によれば、主画面又は副画面のどちらか、或いは両方のランクレベルが設定値以上であれば、その画面の水平又は垂直同期を外すことにより画面内容の判別を困難にすることができる。


【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】変更
【補正の内容】
【００４０】
請求項１２記載の発明は、映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記ランク判定部の判定結果をもとに、画面のランク信号が設定レベル以上であった場合には、文字・図形・記号などを必要な数だけ発生して、前記画面処理部からの映像信号に重畳し前記表示部に出力する手段とを具備したものである。


【手続補正１３】
【補正対象書類名】明細書
【補正対象項目名】００４１
【補正方法】変更
【補正の内容】
【００４１】
請求項１２の発明によれば、画面のランクレベルが設定値以上となった時に文字・図形・記号などを必要な数だけ発生させて、画面上に多数表示する手段を設けて、画面内容の判別を困難にする。


【手続補正１４】
【補正対象書類名】明細書
【補正対象項目名】００４２
【補正方法】変更
【補正の内容】
【００４２】
請求項１３記載の発明は、映像内容のランクレベルを示すランク信号が重畳された第１，第２の映像信号をそれぞれ主画面，副画面として表示部に表示するテレビ受像機であって、
第１の映像信号を入力し、圧縮処理して主画面用映像信号を出力する主画面処理部と、
第２の映像信号を入力し、圧縮処理して副画面用映像信号を出力する副画面処理部と、
前記主画面用映像信号と前記副画面用映像信号とを重畳して前記表示部に出力する重畳部と、
前記第１の映像信号にランク信号が含まれているか検出する第１のランク検出部と、
前記第２の映像信号にランク信号が含まれているか検出する第２のランク検出部と、
前記第１又は第２のランク検出部で検出されたランク信号が、予め設定されているレベル以上であるかを判定するランク判定部と、
前記ランク判定部の判定結果をもとに、主画面又は副画面のいずれかのランク信号が設定レベル以上であった場合には、文字・図形・記号などを必要な数だけ発生して、前記重畳部からの該当画面の映像信号に重畳し前記表示部に出力する手段とを具備したものである。


【手続補正１５】
【補正対象書類名】明細書
【補正対象項目名】００４３
【補正方法】変更
【補正の内容】
【００４３】
請求項１３の発明によれば、主画面又は副画面のどちらか、或いは両方が設定レベル以上であれば、その画面にキャラクタ発生手段にて発生した文字・図形・記号などを多数表示することにより、その画面の内容を判別できないようにする。


【手続補正１６】
【補正対象書類名】明細書
【補正対象項目名】００４４
【補正方法】変更
【補正の内容】
【００４４】
請求項１４記載の発明は、請求項１２又は１３記載のテレビ受像機において、
前記ランク判定部で判定されるランク信号のレベルに応じて前記文字・図形・記号などの色・形・大きさを変える手段を設け、ユーザーがランクレベルを識別できるようにしたことを特徴とする。


【手続補正１７】
【補正対象書類名】明細書
【補正対象項目名】００４５
【補正方法】変更
【補正の内容】
【００４５】
請求項１４の発明によれば、ランクレベルに応じてキャラクタの色や形を変えることにより、ランクが識別できるようにした。


【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】変更
【補正の内容】
【００４９】
請求項１５記載の発明は、映像内容のランクレベルを示すランク信号が重畳された映像信号を表示部に表示するテレビ受像機であって、
前記映像信号を入力し、映像処理して出力する画面処理部と、
前記映像信号にランク信号が含まれているか検出するランク検出部と、
前記ランク検出部で検出されたランク信号が、予め設定されているレベル以上であるかを判定するランク判定部と、
前記画面処理部からの映像信号の内容を制御信号を用いて判別不能にする手段と、
前記ランク判定部の判定結果をもとに、画面のランク信号が設定レベル以上であった場合には、制御信号を発生して前記の判別不能にする手段に供給する制御部と、
前記制御部からの前記制御信号に基づいて、画面のランク信号が設定レベル以上であることを示す文字信号を発生して、前記の判別不能にする手段からの映像信号に重畳し、前記表示部に出力する手段とを具備したものである。


【手続補正２２】
【補正対象書類名】明細書
【補正対象項目名】００５０
【補正方法】変更
【補正の内容】
【００５０】
請求項１５の発明によれば、画面のランクレベルが設定値以上であれば、画面内容を判別できないようにすると同時に、画面上に現在設定値を越えている旨を表示してユーザーに知らせることができる。